(57)【要約】 【課題】本発明は、釣り糸の切断を防止する釣り具に関する発明である。【解決手段】本発明は、フックと留め具からなるフック部と、前記フック部に連結された連結部材とより戻し本体からなるより戻しと、前記フック部に連結された保持球体を備えた連結部材からなる保持部と、前記保持球体を圧入した保持球体受け部材とスプリングを内包したビニールパイプと前記ビニールパイプを内部に挿通した錘からなる切断防止部と、前記スプリング内を挿通し前記より戻しに結ばれる釣り糸と、前記釣り糸の下端に取り付けられる針からなる針部とからなることを特徴とする釣り糸切断防止仕掛けと、連結フックを備えた磁石からなる保持部と、前記保持部の磁石と連結する磁石とスプリングを内包したビニールパイプと前記ビニールパイプを内部に挿通した錘と前記スプリング内に挿通され釣り糸の上部に取り付ける保護チューブからなる切断防止部とからなることを特徴とする釣り糸切断防止仕掛けの構成とした。【選択図】  図１
2007037477.tif 000002
【特許請求の範囲】
【請求項１】
フックと留め具からなるフック部と、前記フック部に連結された連結部材とより戻し本体からなるより戻しと、前記フック部に連結された保持球体を備えた連結部材からなる保持部と、前記保持球体を圧入した保持球体受け部材とスプリングを内包したビニールパイプと前記ビニールパイプを内部に挿通した錘からなる切断防止部と、前記スプリング内を挿通し前記より戻しに結ばれる糸と、前記糸の下端に取り付けられる針からなる針部とからなることを特徴とする釣り糸切断防止仕掛け。
【請求項２】
連結フックを備えた磁石からなる保持部と、前記保持部の磁石と連結する磁石とスプリングを内包したビニールパイプと前記ビニールパイプを内部に挿通した錘と前記スプリング内に挿通され糸の上部に取り付ける保護チューブからなる切断防止部とからなることを特徴とする請求項１に記載の釣り糸切断防止仕掛け。
【発明の詳細な説明】
【技術分野】
【０００１】
本発明は、釣り糸の切断を防止する釣り具に関する発明である。
【背景技術】
【０００２】
従来、海釣りなど岩場の覆い所では、太い糸を使用したり、針に仕掛けを取り付けて釣る方法がとられていた。
【０００３】
しかしながら、従来のように太い糸を使用しても針を飲み込んでしまった魚が、岩場に潜り込み長時間に渡って糸が岩に擦られると糸が切れてしまうことがあり、太い糸の使用では安心して魚釣りを楽しむことができなかった。
【特許文献１】特開平０８−２２８６５１号公報
【発明の開示】
【発明が解決しようとする課題】
【０００４】
そこで、本発明は、糸が岩で擦れても切れることがなく安心して海釣りを楽しむことができる釣り糸切断防止仕掛けを提供することを目的とするものである。
【課題を解決するための手段】
【０００５】
本発明は、上記の課題を解決するために、フック２ａと留め具２ｂからなるフック部２と、前記フック部２に連結された連結部材３ｂとより戻し本体３ａからなるより戻し３と、前記フック部２に連結された保持球体４ａを備えた連結部材４ｂからなる保持部４と、前記保持球体４ａを圧入した保持球体受け部材５ａとスプリング５ｄを内包したビニールパイプ５ｃと前記ビニールパイプ５ｃを内部に挿通した錘５ｂからなる切断防止部５と、前記スプリング５ｄ内を挿通し前記より戻し３に結ばれる糸７と、前記糸７の下端に取り付けられる針６ａからなる針部６とからなることを特徴とする釣り糸切断防止仕掛け１の構成及び連結フック９ｂを備えた磁石９ａからなる保持部９と、前記保持部９の磁石９ａと連結する磁石１０ａとスプリング１０ｅを内包したビニールパイプ１０ｄと前記ビニールパイプ１０ｄを内部に挿通した錘１０ｂと前記スプリング１０ｅ内に挿通され糸７の上部に取り付ける保護チューブ１０ｃからなる切断防止部１０とからなることを特徴とする釣り糸切断防止仕掛け１ａの構成とした。
【発明の効果】
【０００６】
本発明の釣り糸切断防止仕掛けは切断防止部が付いているため、糸を切断し易い岩場などでも安心して釣りを楽しむことができる。
【発明を実施するための最良の形態】
【０００７】
岩場での糸の切断を無くすという目的を、切断防止部をつけることによって実現した。
【実施例１】
【０００８】
図１は、本発明である釣り糸切断防止仕掛けの全体図、図２は釣り糸切断防止仕掛けの拡大図、図３は釣り糸切断防止仕掛けが作用した状態を示した図である。図１に示すように、本発明である釣り糸切断防止仕掛け１は、フック部２と、前記フック部２の下部に連結されるより戻し３と、同じく前記フック部２の下部に連結される保持部４と、前記保持部４の下部に保持球体受け部材５ａを介して取り付けられる錘５ｂと前記錘５ｂに挿通されるスプリング５ｄを内包したビニールパイプ５ｃと、一端を前記より戻し３に接続し他端を針部６に接続した釣り糸７とからなる。
【０００９】
フック部２は一部が切断され両端が外方に向かって屈曲している略Ｏ字型のフック２ａと、フック２ａの両端を留める留め具２ｂからなり、またフック２ａは留め具２ｂにより２つの輪に分けられた状態となっている。２つの輪のうち、上側の大きな輪の方はフック２ａの一端と留め具２ｂが取り外し可能な係止状態にあり、小さな輪の方には連結リング２ｃが連結されている。
【００１０】
より戻し３は、より戻し本体３ａと２つの連結部材３ｂ、３ｃからなり、連結部材３ｂ、３ｃは同形同大である。連結部材３ｂ、３ｃはより戻し本体３ａの両端に回転可能に取り付けられており、連結部材３ｂはフック２ａに形成された小さな輪に連結されている。
【００１１】
保持部材４は略球体の保持球体４ａと保持球体４ａと連結リング２ｃとを連結する連結部材４ｂとからなる。
【００１２】
切断防止部５は、錘５ｂと錘５ｂ内を貫通するビニールパイプ５ｃとビニールパイプ５ｃに内包されるスプリング５ｄとビニールパイプ５ｃの上部側に取り付けられた保持球体受け部材５ａとからなり、更に、スプリング５ｄ内には釣り糸７が挿通される。コイル状のスプリング５ｄは、釣り糸７が切断するのを防止する役割がある。
【００１３】
針部６は、通常釣りに使用する針６ａからなり、針６ａにはスプリング５ｄ内を挿通された釣り糸７の一端が結びつけられている。符号６ｂはその結び目を示している。尚、釣り糸７の他端はより戻し３の連結部材３ｃに結びつけられている。
【００１４】
釣り糸切断防止仕掛け１は、釣り竿より伸びた釣り糸７ａの先端に取り付けられたより戻し部８の先端に取り付けられて使用される。より戻し部８は、上下に連結部材８ｂ、８ｃを備えたより戻し本体８ａと、上下に連結部材８ｆ、８ｇを備えたより戻し本体８ｅと、連結部材８ｃ、８ｆを連結するより戻し連結部材８ｄからなり、フック２ａの大きな輪側が連結部材８ｇに連結される。
【００１５】
図２に示すように、本発明である釣り糸切断防止仕掛け１をセットした状態は、まず、スプリング５ｄ及びビニールパイプ５ｃ内を挿通された釣り糸７の上端を保持球体受け部材５ａの上端より出し、連結部材３ｃに結びつける。
【００１６】
次に連結部材３ｃに結びつけた釣り糸７を保持球体受け部材５ａより弛む程度に引出した状態で保持部４の保持球体４ａを保持球体受け部材５ａの上端から挿入させる。この状態では、釣り糸７は多少の力ではズレることがなく、弛みを維持している。
【００１７】
図２及び図３に示すように、魚がかかった後、針６ａなどを飲み込んでしまった魚は強力な力で釣り糸７を引っ張り始め、保持球体受け部材５ａの上部で弛んでいた釣り糸７まで引っ張り、釣り糸７の弛みはなくなり保持部４よりも長いより戻し３が保持球体受け部材５ａ内に入り込もうとし、連結部材３ｃが保持球体受け部材５ａに引っ掛かる。
【００１８】
魚が更に釣り糸７を引っ張り続けるため、連結部材３ｃが保持球体受け部材５ａ内に張り込もうとして保持球体受け部材５ａの上端を押すため、保持球体受け部材５ａは下方に向かって徐々に押し下げられていく。そして、耐えきれなくなった保持球体４ａが保持球体受け部材５ａから外れ、図３に示すように、錘５ｂによって一気に針部６まで滑り落ちてゆく。
【００１９】
切断防止部５の全長はおよそ５０ｃｍ程あり、針６ａを飲み込んで岩下に隠れる魚によって釣り糸７が岩に擦れても切断防止部５がスプリング５ｄとビニールパイプ５ｃにより釣り糸７を保護しているため切れることがなく、魚を釣り上げるまで安心して釣りを楽しむことができる。
【００２０】
また、切断防止部５は魚が引っ掛かるまでは針６ａの上方に位置しているため魚には気づかれることがない。尚、切断防止部５はおよそ５０ｃｍ程としたが、特に限定しているものではなく、釣り場の状況に合わせて長くしても短くしてもよい。
【実施例２】
【００２１】
図４は本発明である釣り糸切断防止仕掛けの第２実施例の全体図、図５は釣り糸切断防止仕掛けの第２実施例が作用した状態を示した図である。本発明である釣り糸切断防止仕掛け１ａは、保持部９と、保持部９と磁力により連結される切断防止部１０と、切断防止部１０内を挿通し下端が針部６と連結された釣り糸７とからなり、釣り竿から伸びる釣り糸７ａの先端に結びつけられたより戻し部８の下端に取り付けて使用される。
【００２２】
保持部９は磁石９ａと磁石９ａの上端に取り付けられた連結フック９ｂからなる。連結フック９ｂは、より戻し部８の連結部材８ｇに取り付けられる。
【００２３】
切断防止部１０は、錘１０ｂと錘１０ｂの上部に取り付けられた磁石１０ａと錘１０ｂの下部に取り付けられたビニールパイプ１０ｄとビニールパイプ１０ｄに内包されたスプリング１０ｅと磁石１０ａ、錘１０ｂ及びスプリング１０ｅ内を挿通した釣り糸７の上端を保護する保護チューブ１０ｃからなる。
【００２４】
スプリング１０ｅを内包したビニールパイプ１０ｄの上端部は錘１０ｂ内に挿通されており、また、釣り糸７はスプリング１０ｅ内を挿通し上端は磁石１０ｂ内を挿通して連結部材８ｇに結ばれている。磁石１０ｂ上部より飛び出した釣り糸７は更に保護チューブ１０ｃ内を挿通している。
【００２５】
保護チューブ１０ｃの長さは保持部ｇ９の長さよりも長く、図４に示すように、釣り前に仕掛けをセットしたときは、連結部材８ｇから磁石１０ａにかけて弛みができている。また、磁石９ａ」と磁石１０ａは強力に連結されており、多少の力では離れない状態となっている。
【００２６】
図５に示すように、魚が針６ａを飲み込み岩下などに隠れようと釣り糸７を引き始めると、釣り糸７の上端に取り付けられた保護チューブ１０ｃが磁石１０ａ内に入り込もうとして磁石１０ａを下方に向かって押し下げ始める。
【００２７】
磁石１０ａに穿設された孔は釣り糸７が通る程の小さい孔のため、保護チューブ１０ｃは入り込むことができるず、更に磁石１０ａを下に押し下げようとする。魚により引っ張る力が強く磁石９ａ、１０ａ同士の連結力を超えた時、磁石１０ａは磁石９ａから離れ、図５に示すように、切断防止部１０が針部６まで滑り落ちてゆく。
【００２８】
切断防止部１０の全長はおよそ５０ｃｍ程あり、針６ａを飲み込んで岩下に隠れる魚によって釣り糸７が岩に擦れても切断防止部１０がスプリング１０ｅとビニールパイプ１０ｄにより釣り糸７を保護しているため切れることがなく、魚を釣り上げるまで安心して釣りを楽しむことができる。
【００２９】
また、切断防止部１０は魚が引っ掛かるまでは針６ａの上方に位置しているため魚には気づかれることがない。尚、切断防止部１０はおよそ５０ｃｍ程としたが、特に限定しているものではなく、釣り場の状況に合わせて長くしても短くしてもよい。
【図面の簡単な説明】
【００３０】
【図１】本発明である釣り糸切断防止仕掛けの全体図である。
【図２】本発明である釣り糸切断防止仕掛けの拡大図である。
【図３】本発明である釣り糸切断防止仕掛けが作用した状態を示した図である。
【図４】本発明である釣り糸切断防止仕掛けの第２実施例の全体図である。
【図５】本発明である釣り糸切断防止仕掛けの第２実施例が作用した状態を示した図である。
【符号の説明】
【００３１】
１      釣り糸切断防止仕掛け
１ａ    釣り糸切断防止仕掛け
２      フック部
２ａ    フック
２ｂ    留め具
２ｃ    連結リング
３      より戻し
３ａ    より戻し本体
３ｂ    連結部材
３ｃ    連結部材
４      保持部
４ａ    保持球体
４ｂ    連結部材
５      切断防止部
５ａ    保持球体受け部材
５ｂ    錘
５ｃ    ビニールパイプ
５ｄ    スプリング
６      針部
６ａ    針
６ｂ    結び目
７      釣り糸
７ａ    釣り糸
８      より戻し部
８ａ    より戻し本体
８ｂ    連結部材
８ｃ    連結部材
８ｄ    より戻し連結部材
８ｅ    より戻し本体
８ｆ    連結部材
８ｇ    連結部材
９      保持部
９ａ    磁石
９ｂ    連結フック
１０      切断防止部
１０ａ    磁石
１０ｂ    錘
１０ｃ    保護チューブ
１０ｄ    ビニールパイプ
１０ｅ    スプリング
【図１】
2007037477.tif 000003
【図２】
2007037477.tif 000004
【図３】
2007037477.tif 000005
【図４】
2007037477.tif 000006
【図５】
2007037477.tif 000007